(57)【特許請求の範囲】
【請求項１】
写真感光材料を現像処理部で処理液中に浸漬して現像処理した後、乾燥部に搬送して乾燥させるように構成された写真感光材料の自動現像装置において、上記現像処理部と乾燥部との間に、スクイズ領域が部分的に異なる複数のスクイズローラを設置して写真感光材料を順次スクイズすることにより、この写真感光材料に付着した処理液を幅方向の全域に亘って除去するように構成するとともに、各スクイズローラによるスクイズ領域以外の部分に写真感光材料を案内するガイドを設けたことを特徴とする写真感光材料の自動現像装置。
【請求項２】
現像処理部と乾燥部との間に、写真感光材料の中央部を除く領域をスクイズする第１スクイズローラと、写真感光材料の左右両側辺部を除く領域をスクイズする第２スクイズローラとを配設し、かつ上記第１スクイズローラの設置部に写真感光材料の中央部を案内する第１ガイドを設けるとともに、上記第２スクイズローラの設置部に写真感光材料の左右両側辺部を案内する第２ガイドを設けたことを特徴とする請求項１記載の写真感光材料の自動現像装置。
【請求項３】
写真感光材料の搬送方向の上流側に、写真感光材料の左右両側辺部をスクイズする第１スクイズローラを配設し、その下流側に写真感光材料の中央部をスクイズする第２スクイズローラを配設したことを特徴とする請求項２記載の写真感光材料の自動現像装置。
【発明の詳細な説明】
【０００１】
【発明の属する技術分野】
本発明は、写真フィルムまたは長尺の印画紙等からなる写真感光材料を現像処理部で各種の処理液中に浸漬して現像処理した後、乾燥部に搬送して乾燥させることにより写真感光材料を自動的に現像するように構成された写真感光材料の自動現像装置に関するものである。
【０００２】
【従来の技術】
従来、例えば実開昭６３−６２８４０号公報に示されるように、現像処理部から乾燥部に送り込まれる写真感光材料の搬送路に吸水性を有する複数のスクイズローラを配設し、現像処理部において写真感光材料を処理液中に浸漬する際に付着した処理液を、上記スクイズローラによって取り除いた状態で乾燥部に搬送することにより、この乾燥部における乾燥効率を向上させることが行なわれている。上記写真感光材料の搬送路には、図７に示すように、写真感光材料１の左右両側辺部を上下から拘束して案内するガイド３１が設けられているため、このガイド３１に干渉しないように、スクイズローラ３２のスクイズ幅が写真感光材料１の幅寸法よりも小さく設定されている。
【０００３】
【発明が解決しようとする課題】
上記のようにスクイズローラ３２のスクイズ幅を、写真感光材料１の幅寸法よりも小さく設定することにより、写真感光材料１の搬送路に設けられた左右のガイド３１の間にスクイズローラ３２を配設した場合には、写真感光材料１の左右両側辺部にスクイズローラ３２を接触させることができないため、写真感光材料１の左右両側辺部に付着した処理液が乾燥部内に持ち込まれることが避けられない。このように写真感光材１の全域を斑なくスクイズできないと、乾燥斑が生じ易く、良好な画像が得られないので、均一に乾燥するために乾燥時間が長くなるという問題があった。
【０００４】
なお、上記スクイズローラの設置部に位置するガイドを切欠き、この切欠部に写真感光材料の幅寸法よりも大きなスクイズ幅を有するスクイズローラを配設することにより、写真感光材料の全領域をスクイズできるようにすることも考えられる。しかし、上記のように構成した場合には、スクイズローラの設置部において写真感光材料を適正に案内することができないため、カール癖を有する写真感光材料がスクイズ部に導入される際に、写真感光材料が搬送路から脱線してローラに巻き込まれ易いという問題がある。
【０００５】
本発明は、このような事情に鑑み、スクイズローラによって写真感光材料の全領域を適正にスクイズできるとともに、写真感光材料が搬送路から脱線するのを効果的に防止できる写真感光材料の自動現像装置を提供するものである。
【０００６】
【課題を解決するための手段】
請求項１に係る発明は、写真感光材料を現像処理部で処理液中に浸漬して現像処理した後、乾燥部に搬送して乾燥させるように構成された写真感光材料の自動現像装置において、上記現像処理部と乾燥部との間に、スクイズ領域が部分的に異なる複数のスクイズローラを設置して写真感光材料を順次スクイズすることにより、この写真感光材料に付着した処理液を幅方向の全域に亘って除去するように構成するとともに、各スクイズローラによるスクイズ領域以外の部分に写真感光材料を案内するガイドを設けたものである。
【０００７】
上記構成によれば、現像処理部と乾燥部との間に設置されたガイドにより写真感光材料が案内されてその脱線が防止されつつ、複数のスクイズローラにより写真感光材料の異なる領域が順次スクイズされることにより、写真感光材料に付着した処理液がその幅方向全体に亘って効果的に除去されることになる。
【０００８】
請求項２に係る発明は、上記請求項１記載の写真感光材料の自動現像装置において、現像処理部と乾燥部との間に、写真感光材料の中央部を除く領域をスクイズする第１スクイズローラと、写真感光材料の左右両側辺部を除く領域をスクイズする第２スクイズローラとを配設し、かつ上記第１スクイズローラの設置部に写真感光材料の中央部を案内する第１ガイドを設けるとともに、上記第２スクイズローラの設置部に写真感光材料の左右両側辺部を案内する第２ガイドを設けたものである。
【０００９】
上記構成によれば、第１ガイドにより写真感光材料の中央部がガイドされつつ、第１スクイズローラより写真感光材料の中央部を除く部分が所定範囲に亘ってスクイズされるとともに、第２ガイドにより写真感光材料の左右両側辺部がガイドされつつ、第２スクイズローラより写真感光材料の左右両側辺部を除く部分が所定範囲に亘ってスクイズされることにより、写真感光材料に付着した処理液がその幅方向全体に亘って効果的に除去されることになる。
【００１０】
請求項３に係る発明は、上記請求項２記載の写真感光材料の自動現像装置において、写真感光材料の搬送方向の上流側に、写真感光材料の左右両側辺部をスクイズする第１スクイズローラを配設し、その下流側に写真感光材料の中央部をスクイズする第２スクイズローラを配設したものである。
【００１１】
上記構成によれば、スクイズ部に写真感光材料が導入される際に、まず第１ガイドによって写真感光材料の中央部がガイドされることにより、この写真感光材料がカール癖を有している場合においても、搬送路から脱線することが効果的に防止された状態で、第１スクイズローラによって写真感光材料の中央部を除く部分がスクイズされた後、第２スクイズローラおよび第２ガイドの設置部に写真感光材料が搬送されて、その左右両側辺部が第２ガイドによってガイドされつつ、第２スクイズローラによって写真感光材料の左右両側辺部を除く部分がスクイズされることになる。
【００１２】
【発明の実施の形態】
図１は本発明に係る写真感光材料の自動現像装置の全体構成を示している。この自動現像装置は、写真フィルム等からなる写真感光材料１を現像処理する現像処理部２と、現像処理された写真感光材料１を乾燥させる乾燥部３とを有し、現像処理部２と乾燥部３との間の上方部には、写真感光材料１に付着した処理液を搾り取って除去するスクイズ部４が配設されている。
【００１３】
上記現像処理部２は、現像処理液が充填された現像処理液槽２ａと、漂白処理液が充填された漂白処理液槽５、定着処理液が充填された定着処理液層６と、安定処理液が充填された安定処理液槽７とを有し、これらの処理液槽を通過する際に上記写真感光材料１の現像、漂白、定着および安定が行なわれるようになっている。また、上記乾燥部３は、上記現像処理部２からスクイズ部４を介して搬送された写真感光材料１に熱風を吹き付けることにより、写真感光材料１を乾燥させるように構成されている。
【００１４】
上記スクイズ部４には、図２および図３に示すように、上記写真感光材料１を上下から挟持する一対の第１スクイズローラ８，９と、第２スクイズローラ１０，１１とが写真感光材料１の搬送方向に相隣接して配設されている。この第１スクイズローラ８，９および第２スクイズローラ１０，１１のうち、少なくとも写真感光材料１の乳剤面側に位置するローラは、その外周部が吸水性を有する素材によって形成されている。例えば、写真感光材料１の乳剤面が下向きの状態で上記スクイズ部４に搬送されるように構成されている場合には、この搬送路の下方側に位置するスクイズローラ９，１１の外周部が吸水性を有する素材によって形成されている。
【００１５】
上記写真感光材料１の搬送方向の上流側に配設された上下一対の第１スクイズローラ８，９は、そのスクイズ幅Ｌ１がそれぞれ写真感光材料１の幅寸法Ｗと同寸またはこの幅寸法Ｗよりも大きく設定されるとともに、その中央部に形成された数ｍｍ程度の幅寸法Ｌ３を有するスリット１２によってスクイズ領域が左右に分割されることにより、写真感光材料１の中央部を除いてその全領域をスクイズするように構成されている。また、写真感光材料１の搬送方向の下流側に配設された上下一対の第２スクイズローラ１０，１１は、そのスクイズ幅Ｌ２が、それぞれ写真感光材料１の幅寸法Ｗよりも小さく設定されるとともに、上記スリット１２の幅寸法Ｌ３よりも大きく設定されることにより、写真感光材料１の左右両側辺部を除く領域をスクイズするように構成されている。
【００１６】
図４に示すように、上記スクイズ部４における写真感光材料１の搬送路の下方に設置された第１スクイズローラ９および第２スクイズローラ１１は、フィルム搬送ラック１３に回転自在に支持されている。また、上記搬送路の上方に設置された第１スクイズローラ８および第２スクイズローラ１０は、上記フィルム搬送ラック１３に回転自在かつ昇降自在に設置されることにより、上記下方の第１スクイズローラ９および第２スクイズローラ１１に対して接離自在に支持されている。
【００１７】
上記上方の第１スクイズローラ８は、図５に示すように、上下のローラ軸８ａ，９ａに巻き掛けられたリング状のばね部材１４からなる付勢部材によって下方に付勢されることにより、所定の押圧力で下方の第１スクイズローラ９に圧接され、また上方の第２スクイズローラ１０は、図６に示すように、上下のローラ軸１０ａ，１１ａに巻き掛けられたリング状のばね部材１５からなる付勢部材によって下方に付勢されることにより、下方の第２スクイズローラ１１に所定の押圧力で圧接されるようになっている。
【００１８】
そして、上記第１スクイズローラ８，９の一端部には、図５に示すように、互いに歯合する従動ギア１６，１７が固定され、この従動ギア１６，１７が図外の駆動ギアによって駆動されることにより、上記第１スクイズローラ８，９がそれぞれ写真感光材料１の搬送方向に等速で回転し、また上記第２スクイズローラ１０，１１の一端部には、図６に示すように、互いに歯合する従動ギア１８，１９が固定され、この従動ギア１８，１９が図外の駆動ギアによって回動されることにより、上記第２スクイズローラ１０，１１がそれぞれ写真感光材料１の搬送方向に等速で回転するように構成されている。
【００１９】
上記第１スクイズローラ８，９の設置部には、上記スリット１２の幅寸法Ｌ３よりもやや狭い範囲で写真感光材料１の中央部を案内する上下一対の第１ガイド２０，２１が相対向して設置され、この両第１ガイド２０，２１の間には、写真感光材料１の厚みよりもやや大きい間隔が設けられている。また、上記第２スクイズローラ１０，１１の設置部には、写真感光材料１の左右両側辺部を案内する上下一対の第２ガイド２２，２３が、写真感光材料１の厚みよりもやや大きい間隔を置いて相対向して設置されている。
【００２０】
さらに、上記第１ガイド２０，２１の後端部と、第２ガイド２２，２３の先端部とは、図３に示すように、写真感光材料１の搬送方向に対してラップしており、これによって写真感光材料１の中央部が上記第１ガイド２０，２１によりガイドされた状態で、上記第２ガイド２２，２３の設置部に搬入されるようになっている。また、図４に示すように、上方の第１ガイド２０の先端部、つまり写真感光材料１の搬送方向の上流側部と、上方の第２ガイド２２の後端部、つまり写真感光材料１の搬送方向の下流側部には、それぞれ写真感光材料１の反転案内面となる円弧状のガイド面２０ａ，２２ａが形成されている。上記下方の第１ガイド２１の先端部と、下方の第２ガイド２３の先端部には、それぞれ写真感光材料１の導入案内面となる先下がりのガイド面２１ａ，２３ａが形成されている。
【００２１】
上記構成において現像処理部２の安定処理液槽７からその上方に位置するスクイズ部４に搬入された写真感光材料１は、上記第１ガイド２０の先端部に形成された円弧状のガイド面２０ａに沿ってガイドされつつ、第１ガイド２０，２１の間に搬送される。そして、上記写真感光材料１は、その中央部が第１ガイド２０，２１によってガイドされつつ、この中央部を除く左右両側方部が所定範囲に亘って上記第１スクイズローラ８，９によりスクイズされる。
【００２２】
次いで上記写真感光材料１は、第１ガイド２０，２１により中央部がガイドされた状態で、第２ガイド２２，２３の間に搬送され、この第２ガイド２２，２３により写真感光材料１の左右両側辺部がガイドされつつ、この左右両側辺部を除く部分、つまり写真感光材料１の中央部が所定範囲に亘って第２スクイズローラ１０，１１によりスクイズされる。この結果、写真感光材料１に付着した処理液がその幅方向の全体に亘り搾り取られて除去された後、上記乾燥部３に導入されて乾燥処理されることになる。
【００２３】
このように現像処理部２と乾燥部３との間に、スクイズ領域が部分的に異なる第１スクイズローラ８，９および第２スクイズローラ１０，１１を設置して写真感光材料１を順次スクイズすることにより、この写真感光材料１に付着した処理液を幅方向の全域に亘って除去するように構成するとともに、上記第１スクイズローラ８，９および第２スクイズローラ１０，１１によるスクイズ領域以外の部分に写真感光材料１を案内する第１ガイド２０，２１および第２ガイド２２，２３を設けたため、写真感光材料１が搬送路から脱線するのを防止した状態で、写真感光材料１に付着した処理液を確実に除去した後、乾燥部３に供給することができる。
【００２４】
すなわち、上記第１スクイズローラ８，９による写真感光材料１のスクイズ領域と、第２スクイズローラ１０，１１による写真感光材料１のスクイズ領域とを部分的に異ならせることにより、各スクイズローラ８〜１１の設置部に各ガイド２０〜２３を配設するためのスペースを確保することが可能となるとともに、第１スクイズローラ８，９および第２スクイズローラ１０，１１の設置部を通過する際に、写真感光材料１の幅方向全域がスクイズされるように上記各スクイズローラ８〜１１を配設することができる。
【００２５】
したがって、上記写真感光材料１を適正に案内し得る位置に各ガイド２０〜２３を配設することにより、写真感光材料１が上記スクイズ部４の搬送路から脱線してローラに巻き込まれること等を効果的に防止することができる。そして、上記第１スクイズローラ８，９および第２スクイズローラ１０，１１の設置部を通過する際に、写真感光材料１の幅方向全域がスクイズされるように各スクイズローラ８〜１１を配設することにより、写真感光材料１の左右両側方部および中央部に付着した処理液を全て斑なく除去することができるため、乾燥部３内に処理液が持ち込まれのを防止して乾燥時間を効果的に短縮し、これによって写真感光材料１の現像処理を迅速かつ適正に実行することができる。
【００２６】
なお、上記各スクイズローラ８〜１１によるスクイズ領域またはローラの個数は、上記実施形態に限定されることなく種々の変更が可能であり、例えば写真感光材料１の中央部をスクイズする第１スクイズローラと、写真感光材料１の右半部をスクイズする第２スクイズローラと、左半部をスクイズする第３スクイズローラとをスクイズ部４に設置するとともに、これらのスクイズローラによるスクイズ領域以外の部分に写真感光材料１を案内する第１〜第３ガイドを設けた構造としてもよいが、このように構成した場合には、スクイズローラおよびガイドの個数が多くなって装置が大型化することが避けられない。
【００２７】
このため、上記実施形態に示すように、写真感光材料１の左右両側方部をスクイズする第１スクイズローラ８，９および写真感光材料１の中央部を案内する第１ガイド２０，２１と、写真感光材料１の中央部をスクイズする第２スクイズローラ１０，１１および写真感光材料１の左右両側方部を案内する第２ガイド２２，２３とを設けることにより、スクイズローラの個数を必要最小限に設定して装置のコンパクト化および構造の簡略化を図るとともに、写真感光材料１の全領域を適正にスクイズできるようにすることが望ましい。
【００２８】
特に上記実施形態に示すように、写真感光材料１の搬送方向の上流側に、写真感光材料１の左右両側辺部をスクイズする第１スクイズローラ８，９を配設し、その下流側に写真感光材料１の中央部をスクイズする第２スクイズローラ１０，１１を配設した場合には、上記第１スクイズローラ８，９の設置部に設けられた第１ガイド２０，２１により、現像処理部２の安定処理液槽７から導出された写真感光材料１の中央部を上下から拘束することにより、写真感光材料１がカール癖を有している場合においても、これを適正に案内して搬送路からの脱線を効果的に防止することができる。
【００２９】
【発明の効果】
以上説明したように、請求項１に係る発明は、写真感光材料を現像処理部で処理液中に浸漬して現像処理した後、乾燥部に搬送して乾燥させるように構成された写真感光材料の自動現像装置において、上記現像処理部と乾燥部との間に、スクイズ領域が部分的に異なる複数のスクイズローラを設置して写真感光材料を順次スクイズすることにより、この写真感光材料に付着した処理液を幅方向の全域に亘って除去するように構成するとともに、各スクイズローラによるスクイズ領域以外の部分に写真感光材料を案内するガイドを設けたため、写真感光材料が搬送路から脱線してローラに巻き込まれる等の弊害を生じることなく、写真感光材料の左右両側方部および中央部に付着した処理液を斑なく全て除去することができ、乾燥部内に処理液が持ち込まれのを防止して乾燥時間を効果的に短縮し、これによって写真感光材料の現像処理を迅速かつ適正に実行することができる。
【００３０】
また、請求項２に係る発明は、現像処理部と乾燥部との間に、写真感光材料の中央部を除く領域をスクイズする第１スクイズローラと、写真感光材料の左右両側辺部を除く領域をスクイズする第２スクイズローラとを配設し、かつ上記第１スクイズローラの設置部に写真感光材料の中央部を案内する第１ガイドを設けるとともに、上記第２スクイズローラの設置部に写真感光材料の左右両側辺部を案内する第２ガイドを設けたため、スクイズローラの個数を必要最小限に設定して装置のコンパクト化および構造の簡略化を図ることができるとともに、写真感光材料の全領域を適正にスクイズすることができる。
【００３１】
また、請求項３に係る発明は、写真感光材料の搬送方向の上流側に、写真感光材料の左右両側辺部をスクイズする第１スクイズローラを配設し、その下流側に写真感光材料の中央部をスクイズする第２スクイズローラを配設したため、現像処理部から導出された写真感光材料の中央部を上下から拘束することにより、写真感光材料がカール癖を有している場合においても、これを適正に案内して搬送路からの脱線を効果的に防止できるという利点がある。
【図面の簡単な説明】
【図１】本発明に係る写真感光材料の自動現像装置の全体構成を示す説明図である。
【図２】スクイズローラの構成を示す斜視図である。
【図３】スクイズローラの設置状態を示す底面図である。
【図４】スクイズローラの設置状態を示す断面図である。
【図５】図４のＡ−Ａ線断面図である。
【図６】図４のＢ−Ｂ線断面図である。
【図７】自動現像装置の従来例を示す断面図である。
【符号の説明】
１  写真感光材料
２  現像処理部
３  乾燥部
４  スクイズ部
８，９  第１スクイズローラ
１０，１１  第２スクイズローラ
２０，２１  第１ガイド
２２，２３  第２ガイド
【図１】
0003820730.tif 000002
【図２】
0003820730.tif 000003
【図３】
0003820730.tif 000004
【図４】
0003820730.tif 000005
【図５】
0003820730.tif 000006
【図６】
0003820730.tif 000007
【図７】
0003820730.tif 000008